(57)【特許請求の範囲】
【請求項１】
スピーカユニットと、
周囲に外縁部を持つ容器に着脱するための第一の凹部、及び前記第一の凹部の内側であって、前記第一の凹部より小さい口径の外縁部を持つ容器に着脱するための第二の凹部を有するキャップとで構成され、
前記第二の凹部の内側に前記スピーカユニットを取り付けたことを特徴とするキャップ付スピーカ。
【請求項２】
前記スピーカユニットの厚みが、前記外縁部の高さより薄いことを特徴とする請求項１に記載のキャップ付スピーカ。
【請求項３】
前記スピーカユニットが２個一組でステレオ結線され、一つのヘッドホン・ジャックに接続されることを特徴とする請求項１、又は請求項２に記載のキャップ付スピーカ。
【発明の詳細な説明】
【０００１】
【産業上の利用分野】
本発明は、携帯用のテープ再生機やＣＤプレーヤ、ＭＤプレーヤ等の光ディスクプレーヤへの接続に適した携帯用のスピーカに関する。
【０００２】
【従来の技術】
現在、携帯用音響機器であるテープ再生機やＣＤプレーヤ、ＭＤプレーヤ等を携帯し、ヘッドホンやイヤホンにより歩行中や車内で音楽を楽しむ姿を多く目にする。携帯用音響機器は、ヘッドホンやイヤホンを用いることで、再生音を周囲の第三者に対しては消音することが出来るので、周囲の第三者に迷惑をかけることなく、各人が好きな音楽の世界に浸ることができる。しかし、仲間同士で行楽地に居る場合など、再生音を多人数で同時に聴きたくなる場合が多々発生する。このような場合は、ヘッドホンやイヤホンに代えて、再生音を自由空間に放射する外部スピーカ、いわゆる放射型スピーカが必要となる。しかしながら、放射型スピーカは、音響パワーを自由空間に効率良く放射するために、スピーカユニットのみで用いられることはなく、いわゆるキャビネットに取り付けられて使用される。このため、携帯して持ち運ぶのには適さないという問題点があった。
【０００３】
【発明が解決しようとする課題】
本発明は、上記課題に鑑みなされたものであり、その目的は、特に携帯用音響機器の外部スピーカとして利用することができる小型軽量で携帯性に優れたキャップ付スピーカを提供することにある。
【０００４】
【課題を解決するための手段】
請求項１に記載の発明に係るキャップ付スピーカは、スピーカユニットと、周囲に外縁部を持つ容器に着脱するための第一の凹部、及び第一の凹部の内側であって、第一の凹部より小さい口径の外縁部を持つ容器に着脱するための第二の凹部とを有するキャップで構成され、第二の凹部の内側にスピーカユニットを取り付けて構成する。
また、請求項２に記載の発明に係るキャップ付スピーカは、請求項１記載のキャップ付スピーカであって、スピーカユニットの厚みが、外縁部の高さより薄く構成している。
また、請求項３に記載の発明に係るキャップ付スピーカは、請求項１、又は請求項２に記載のキャップ付スピーカであって、スピーカユニットが２個一組でステレオ結線され、一つのヘッドホン・ジャックに接続されることを特徴とする。
【０００５】
本発明のキャップ付スピーカは、スピーカユニットと、周囲に外縁部を持つ容器に着脱するための第一の凹部、及び第一の凹部の内側に第一の凹部より小さい口径の外縁部を持つ容器に着脱するための第二の凹部とを有するキャップとで構成され、第二の凹部の内側にスピーカユニットを取り付けたので、小型軽量で携帯性に優れている。
また、スピーカユニットの厚みは、外縁部の高さより薄く構成したので、容器の外縁部に対して密着した状態で装着することができる。
また、キャップ付スピーカは、スピーカユニットが２個一組でステレオ結線され、一つのヘッドホン・ジャックに接続されているので、携帯用音響機器にヘッドホン・ジャックを挿入するだけで、ステレオで音楽を楽しむことができる。
【０００６】
【発明の実施の形態】
本発明のキャップ付スピーカは、清涼飲料水等が封入されていたアルミニウム等の使用済み容器、いわゆる空き缶の上部に装着することで、音響的効率を高め、複数の人が同時に高音質で音楽を楽しめるようにしたものであり、複数種の容器の外径に対応した複数の凹部を形成した、弾力性を有する樹脂であるポリエチレン等を用いて、好ましくは一体成形された天部にスピーカユニット用の開口窓を設けたキャップにスピーカユニットを装着して構成したものである。
【０００７】
図１は、清涼飲料水等が封入された容器の外形図であり、図１（ａ）に上部がテーパ状になった容器（以下テーパ容器と記す）１を、図１（ｂ）に上部から下部まで同じ直径をしたストレート形状の容器（以下ストレート容器と記す）２を、図１（ｃ）にテーパ容器１の上部平面図を示した。ここでは図示しないが、ストレート容器２の上部も同様の構成となっている。まず、図１を用いて本発明の第一の実施形態で利用するテーパ容器１及びストレート容器２の構造の一例を以下に説明する。
【０００８】
図１（ａ）に示すテーパ容器１は、胴回りに比して飲み口側が徐々に細くなる形状をしており、上部に飲み口としての外縁部３が形成されている。一方、図１（ｂ）に示すストレート容器２は、胴回りと飲み口側がほぼ同じ直径で形成され、テーパ容器１と同様に、上部に飲み口としての外縁部４が設けられている。
テーパ容器１の外縁部３の直径（Ｄ１：約５９ｍｍ）は、ストレート容器２の外縁部４の直径（Ｄ２：約５２ｍｍ）よりも大きく、清涼飲料水等が入った容器の外縁部の直径としては、概ねこの２種類に統一されている。
【０００９】
この例では、テーパ容器１とストレート容器２の外縁部３、４は、円筒状の缶の最上部分にあたり、テーパ容器１とストレート容器２は、共に外縁部３、４の内側の所定の深さｈ（ｈ：約５ｍｍ）に缶蓋５が形成されている。なお、容器の構造により、外縁部は必ずしも、缶蓋５や容器外周部と共に形成される必要は無い。
テーパ容器１及びストレート容器２の上部には、図１（ｃ）に示す外縁部３の内側に缶蓋５が設けられ、缶蓋５の略中央部にタブ６が鋲軸７により固定されている。また、缶蓋５の一部には、リング状に切れ目８が施されたシール部９が形成されている。
【００１０】
テーパ容器１及びストレート容器２は、缶蓋５に設けられたタブ６が上方に引き上げられるとタブ６のタブ先端部１０が鋲軸７を支点にシール部９を押し下げて、切れ目８に沿って切り離されたシール部９が容器内部に折り込まれ、シール部９が開口するように構成されている。また、テーパ容器１やストレート容器２には、缶蓋５の外周縁部１１に切れ目が施され、タブ６が上方に引き上げられると缶蓋５全体が開放される構造の容器もある。何れの場合も、テーパ容器１及びストレート容器２は、シール部９或は缶蓋５が開放され、内容物である清涼飲料水等が除去されることによって、後述する本発明のキャップ付スピーカ４０のキャビネットとして利用することができる。
【００１１】
次に、本発明のキャップ付スピーカ４０を、前述したテーパ容器１又はストレート容器２に適用した時の好ましい第一の実施形態について、図２を用いて詳しく説明する。図２は、本発明の第一の実施形態のキャップ付スピーカ４０の構造図であり、図２（ａ）にキャップ付スピーカ４０の上部平面図を、図２（ｂ）に図２（ａ）に示す図中Ａ−Ｂ部の断面図を、図２（ｃ）にキャップ付スピーカ４０の底面図を示した。
【００１２】
図２（ｂ）に示す第一の実施形態のキャップ付スピーカ４０は、樹脂成形されたキャップ２０とスピーカユニット２１とで構成されている。かかるキャップ２０は、テーパ容器１の外縁部３に係合する直径（Ｄ１）を有する円筒状の第一の凹部２２と、該第一の凹部２２の天部中央にストレート容器２の外縁部４に係合する直径（Ｄ２）を有する円筒状の第二の凹部２３とが階段状に形成され、キャップ２０の天部となる第二の凹部２３の天部中央にスピーカユニット２１用の開口窓２４が設けられると共に、上記第二の凹部２３の天部中央に第二の凹部２３の直径（Ｄ２）より小さい外径（Ｄ３）を有するスピーカ収納部２５がキャップ２０の内側に形成されている。また、スピーカ収納部２５の外周縁部２６（キャップ２０の底面側）には、複数（図中は３ヵ所）の鈎部２７が形成され、鈎部２７を含むスピーカ収納部２５の高さは、上述したテーパ容器１及びストレート容器２の缶蓋５の深さｈよりも低くなるように形成されている。
【００１３】
キャップ付スピーカ４０は、キャップ２０の内側から開口窓２４を覆うように網目状の保護板２８を装着した後、スピーカ収納部２５にスピーカユニット２１の振動板の前面２１ａを開口窓２４側にして挿入することで形成される。キャップ付スピーカ４０のスピーカユニット２１は、振動板の前面２１ａ側が保護板２８で保護され、スピーカユニット２１の背面側が複数の鈎部２７で保持される。また、電気信号をスピーカユニット２１に伝達するケーブル２９は、例えば第二の凹部２３の外周面から引き出され、一組のキャップ付スピーカ４０の一方がＬ（左）チャネルの、他方がＲ（右）チャネルの音場再生を受け持つようにステレオ結線されている。
【００１４】
図３（ａ）は、上記第一の実施形態のキャップ付スピーカ４０を使用済みの空き缶であるストレート容器１の上部に装着した時の断面図であり、図３（ｂ）は、キャップ２０の第二の凹部２３と、ストレート容器２の外縁部４との結合部の一部拡大図である。
キャップ付スピーカ４０を構成するキャップ２０は、上述したようにストレート容器２の外縁部４の直径（Ｄ２）に係合する第二の凹部２３と、該第二の凹部２３の直径より小さい外径（Ｄ３）のスピーカ収納部２５を同心円状に形成すると共に、スピーカ収納部２５の高さは、ストレート容器２の缶蓋５の深さｈよりも薄く形成している。従って、キャップ付スピーカ４０は、ストレート容器２の上部に装着されると、図３に示すようにキャップ付スピーカ４０のスピーカ収納部２５がストレート容器２の外縁部４の内部に収納されると共に、ストレート容器２の外縁部４が第二の凹部２３によって係合され、ストレート容器２の上部に密着して装着される。
【００１５】
なお、図３では、ストレート容器２のシール部９が容器内部に折り込まれた状態を示している。この状態でストレート容器２には、缶蓋５に形成された切れ目８を介してストレート容器２の内部に空間Ｓが形成されているので、この内部の空間Ｓをキャップ付スピーカ４０の音響的空間とすることができる。つまり、ストレート容器２をキャップ付スピーカ４０のキャビネットとして利用できるのである。従って、このストレート容器２にキャップ付スピーカ４０を装着することにより、スピーカユニット２１の音響的効率が向上する。
【００１６】
また、図４に本発明の第一の実施形態のキャップ付スピーカ４０をテーパ容器１に装着した時の斜視図を示した。キャップ付スピーカ４０は、図４に示すようにＬ用のキャップ付スピーカ４０とＲ用のキャップ付スピーカ４０の２個一組がステレオ結線され、一つのヘッドホン・ジャック３０に接続されているので、携帯用音響機器にヘッドホン・ジャック３０を挿入するだけで、ステレオで音楽を楽しむことができる。
【００１７】
次に、本発明のキャップ付スピーカ４０のその他の実施形態を図５を用いて説明する。図５（ａ）に示すキャップ付スピーカ４１は、上述した２個一組のキャップ付スピーカ４０の内、一方のキャップ２０の第二の凹部２３の外周縁部（底面側）に、該第二の凹部２３の外径に嵌合する第三の凹部３２を形成したキャップ３１にスピーカユニット２１を装着し、例えばＬ用キャップ付スピーカとしたものである。上述したＲ用キャップ付スピーカ４０とＬ用キャップ付スピーカ４１の底面側を互いに対向させ、Ｒ用キャップ付スピーカ４０の第二の凹部２３の外径にＬ用キャップ付スピーカ４１の第三の凹部３２を装着することで、図５（ｂ）に示すようにＲ用キャップ付スピーカ４０とＬ用キャップ付スピーカ４１が互いに嵌合する。
【００１８】
また、Ｌ用キャップ付スピーカ４１の第一の凹部２２と第三の凹部３２の外周の一部にＵ字孔３３を設ければ、Ｒ用キャップ付スピーカ４０とＬ用キャップ付スピーカ４１を嵌合する際に、ケーブル２９及びヘッドホン・ジャック３０を一組のキャップ付スピーカの内部空間に収納することができ、より携帯性が向上する。また、ケーブル２９及びヘッドホン・ジャック３０を取り出し、図５（ｂ）に示すようにＲ用キャップ付スピーカ４０とＬ用キャップ付スピーカ４１を互いに嵌合させた状態でステレオスピーカとして使用することもできる。更に、Ｌ用キャップ付スピーカ４１とＲ用キャップ付スピーカ４０の外観が異なるので、容器に装着した後でも２つのキャップ付スピーカをＬ側とＲ側に戸惑うことなくステレオ配置することができる。
【００１９】
尚、本発明のキャップ付スピーカ４０は、第一の凹部２２と第二の凹部２３を階段状に形成するように説明したが、図５（ｃ）に示すように第一の凹部２２と第二の凹部２３を段差をつけずに同心円上に構成しても同様の効果が得られることは言うまでもない。また、キャップ付スピーカ４０は、第一の凹部２２と第二の凹部２３とで構成した例で説明したが、上記テーパ容器１やストレート容器２以外の直径の容器にも適用するため複数径で構成するようにしても良い。
【００２０】
また、キャップ２０の形状や取り付けられる容器の外縁部の形状は、円筒状に限定されず、方形や楕円等の任意の形状で良い。これと同様にキャップ２０の外周部やスピーカユニット２１の形状も限定されない。例えば、キャップ２０の外周部の一部を方形にしたり、外周部の一部に直線部分や突起部分を持つように形成すれば、キャップ付スピーカ４０を容器に装着して横向きにしたときの容器の転がりを防止することもできる。
更に、ここでは、スピーカユニット２１を複数の鈎部を用いてキャップ２０に固定する構成で説明したが、キャップ２０の弾力性を利用してスピーカユニット２１をキャップ２０に嵌合させる等の方法で固定してスピーカユニット２１が着脱可能としても良いし、キャップ２０の製作時にスピーカユニット２０と共に成形して一体型としても良い。
また、缶切等で缶蓋５を開口し、容器の内部に吸音材等を挿入して容器の振動を防止することにより、更なる音質向上を図るように構成しても良い。
更に、キャップ付スピーカ４０は、キャップ２０、保護板２８、スピーカユニット２１、ケーブル２９等の色やデザイン、印刷等を特定の容器の外装と合わせることにより、取り付け時の一体感を増すように構成しても良い。
【００２１】
【発明の効果】
上述したように、本発明のキャップ付スピーカによれば、使用しない時は小型軽量で携帯性に優れ、空き缶をキャビネットとして利用できるので、外出先でも放射型スピーカとして手軽に複数の人数で同時に再生音を聴くことが可能な、携帯用音響機器に最適なスピーカシステムを構成することができる。
【図面の簡単な説明】
【図１】本発明の第一の実施形態によるキャップ付スピーカを装着する容器の外形図。
【図２】本発明の第一の実施形態によるキャップ付スピーカの構造図。
【図３】本発明の第一の実施形態によるキャップ付スピーカをストレート容器に装着したときの断面図。
【図４】本発明の第一の実施形態によるキャップ付スピーカをテーパ容器に装着したときの斜視図。
【図５】本発明のその他の実施形態によるキャップ付スピーカの断面図。
【符号の説明】
１・・・・テーパ容器
２・・・・ストレート容器
３・・・・外縁部
４・・・・外縁部
５・・・・缶蓋
６・・・・タブ
７・・・・鋲軸
８・・・・切れ目
９・・・・シール部
１０・・・タブ先端部
１１・・・缶蓋の外周縁部
Ｄ１・・・テーパ容器の外縁部の直径
Ｄ２・・・ストレート容器の外縁部の直径
ｈ・・・・外縁部先端から缶蓋最高部までの深さ
２０・・・キャップ
２１・・・スピーカユニット
２１ａ・・振動板の前面
２２・・・第一の凹部
２３・・・第二の凹部
２４・・・開口窓
２５・・・スピーカ収納部
２６・・・スピーカ収納部の外周縁部
２７・・・鈎部
２８・・・保護板
２９・・・ケーブル
３０・・・ヘッドホン・ジャック
３１・・・キャップ
３２・・・第三の凹部
３３・・・Ｕ字孔
Ｄ３・・・スピーカ収納部の外径
Ｓ・・・・空間
４０・・・キャップ付スピーカ
４０Ｒ・・キャップ付スピーカ
４０Ｌ・・キャップ付スピーカ
４１・・・キャップ付スピーカ
【図１】
0003658232.tif 000002
【図２】
0003658232.tif 000003
【図３】
0003658232.tif 000004
【図４】
0003658232.tif 000005
【図５】
0003658232.tif 000006